(57)【特許請求の範囲】
【請求項１】
収納装置本体と、その収納装置本体の収納空間に対して収納移動並びに引き出し移動自在な容器と、その容器の開口部に対する開閉方向に移動自在に前記収納装置本体に保持された蓋体とが設けられ、
前記容器が前記収納装置本体に収納移動されるに伴って前記蓋体が閉じ状態になり、前記容器が前記収納装置本体から引き出し移動されるに伴って前記蓋体が開き状態に操作されるように構成された収納装置であって、
前記蓋体を開閉方向に移動自在に支持する蓋体支持手段が、その蓋体を容器収納方向に移動させると閉じ状態側に移動させ、且つ、その蓋体を容器引き出し方向に移動させると開き状態側に移動させるように支持するように構成され、
前記蓋体を容器収納方向並びに容器引き出し方向に押し移動する蓋体開閉操作具が、前記収納装置本体に、前記蓋体を閉じ状態に操作する閉じ操作位置と前記蓋体を前記開き状態に操作する開き操作位置とに移動自在に設けられ、
前記容器が、前記収納装置本体に収納移動されるに伴って、前記蓋体開閉操作具を前記閉じ操作位置に押し移動操作し、且つ、前記収納装置本体から引き出し移動されるに伴って、前記蓋体開閉操作具を前記開き操作位置に押し移動操作するように構成されている収納装置。
【請求項２】
前記開閉操作具が、前記閉じ操作位置と前記開き操作位置とに揺動自在に構成され、
前記容器には、開閉操作具操作用の係合孔が、前記開閉操作具の揺動によりその開閉操作具に備えさせたピン状の被操作部が係脱するように設けられ、
前記開閉操作具が、前記容器を前記収納装置本体に対して収納移動及び引き出し移動させる全ストロークのうちで、最終収納位置とそれよりも設定量手前側位置との間でのみ、前記被操作部を前記開閉操作具操作用の係合孔に係合するように構成されている請求項１記載の収納装置。
【請求項３】
前記蓋体開閉操作具を前記開き操作位置に復帰付勢する付勢手段が設けられている請求項２記載の収納装置。
【請求項４】
前記容器の左右側部の夫々に対応して、前記蓋体開閉操作具が一対設けられている請求項１〜３のいずれか１項に記載の収納装置。
【請求項５】
前記蓋体支持手段が、カム部材とカムフォロアとを、前記収納装置本体と前記蓋体とに振り分けて設置して構成されている請求項１〜４のいずれか１項に記載の収納装置。
【請求項６】
前記容器が食器洗浄機の洗浄槽で、前記収納装置本体が食器洗浄機の本体ケーシングであり、前記洗浄槽が、前記本体ケーシングに対して水平又は略水平方向に沿って、収納移動並びに引き出し移動されるように構成されている請求項１〜５のいずれか１項に記載の収納装置。
【発明の詳細な説明】
【０００１】
【発明の属する技術分野】
本発明は、収納装置本体と、その収納装置本体の収納空間に対して収納移動並びに引き出し移動自在な容器と、その容器の開口部に対する開閉方向に移動自在に前記収納装置本体に保持された蓋体とが設けられ、
前記容器が前記収納装置本体に収納移動されるに伴って前記蓋体が閉じ状態になり、前記容器が前記収納装置本体から引き出し移動されるに伴って前記蓋体が開き状態に操作されるように構成された収納装置に関する。
【０００２】
【従来の技術】
かかる収納装置では、収納装置本体の内側の収納空間内に水平又は略水平方向に挿脱自在な上面に開口部を有した容器と、この容器の開口部を開閉する蓋体が収納装置本体とが備えられている。そして、前記蓋体は前記容器の操作と連動して開閉方向に移動するように構成されており、前記容器を収納装置本体に収納すると、蓋体が容器の上面開口部を閉じ、前記容器を収納装置本体から引き出すと、蓋体は容器の上面開口部を閉じるように構成されている。
【０００３】
このような収納装置の具体例としては、例えば食器洗浄機があり、食器洗浄機本体の収納空間に対して容器の一例である洗浄槽が収納移動ならびに引き出し移動自在に構成され、洗浄槽の開口部に対して開閉方向に移動自在に食器洗浄機本体に保持された蓋体が設けられ、洗浄槽が食器洗浄機本体に収納されると、蓋体が洗浄槽の開口部を閉め、洗浄槽が食器洗浄機本体から引き出されると、蓋体が洗浄槽の開口部を開けるようになっていた。
【０００４】
そして、従来の収納装置では、例えば特開２００１−４６３００号公報に記載されている食器洗浄機のように、容器上部を開閉する蓋体を開閉方向に案内移動させるリンク機構と、蓋体を開き方向へ付勢させる付勢手段が備えられ、容器を収納装置本体から引き出すときには、引き出し方向へ移動させると開き状態となる蓋体が、引き出し方向への付勢力が蓋体に作用することによって開き状態となり、容器を収納装置本体に収納するときには、収納方向へ移動させると閉じ状態となる蓋体が、容器によって収納方向側へ押し移動されることによって閉じ状態となるように構成されていた。
【０００５】
【発明が解決しようとする課題】
従来の収納装置では、容器の開口部を閉じる蓋体を閉じ状態から開き状態へと移動させるのに、付勢手段による付勢力のみで操作されていた。つまり、この付勢手段は、蓋体を移動させることができる程の付勢力を生じるものであった。そのため、容器を収納移動させる収納操作においては、容器を収納移動させるながら蓋体を収納方向側へ押し移動させるようになっているので、付勢手段による付勢力に抗して容器を収納方向へ移動させることとなり、その結果、収納操作において大きな操作力が必要となるという問題があった。
ちなみに、収納操作における操作力を軽減するために、付勢手段の付勢力を小さくすることが考えられるが、付勢力を小さくすると、蓋体を開き状態に操作することが不確実になる虞があり、実用し難いものであった。
本発明は、かかる実情に鑑みてなされたものであり、その目的は、蓋体が容器の開口部を開閉する開閉動作を確実に行え、且つ、容器の収納移動及び引き出し移動を小さい操作力で行えるようにした収納装置を提供することにある。
【０００６】
【課題を解決するための手段】
〔請求項１記載の発明〕
請求項１に記載の発明は、収納装置本体と、その収納装置本体の収納空間に対して収納移動並びに引き出し移動自在な容器と、その容器の開口部に対する開閉方向に移動自在に前記収納装置本体に保持された蓋体とが設けられ、前記容器が前記収納装置本体に収納移動されるに伴って前記蓋体が閉じ状態になり、前記容器が前記収納装置本体から引き出し移動されるに伴って前記蓋体が開き状態に操作されるように構成された収納装置であって、前記蓋体を開閉方向に移動自在に支持する蓋体支持手段が、その蓋体を容器収納方向に移動させると閉じ状態側に移動させ、且つ、その蓋体を容器引き出し方向に移動させると開き状態側に移動させるように支持するように構成され、前記蓋体を容器収納方向並びに容器引き出し方向に押し移動する蓋体開閉操作具が、前記収納装置本体に、前記蓋体を閉じ状態に操作する閉じ操作位置と前記蓋体を前記開き状態に操作する開き操作位置とに移動自在に設けられ、前記容器が、前記収納装置本体に収納移動されるに伴って、前記蓋体開閉操作具を前記閉じ操作位置に押し移動操作し、且つ、前記収納装置本体から引き出し移動されるに伴って、前記蓋体開閉操作具を前記開き操作位置に押し移動操作するように構成されている点を特徴とする。
【０００７】
すなわち、容器を収納装置本体に収納移動させると、蓋体開閉操作具が開き操作位置から閉じ操作位置へと移動操作され、この蓋体開閉操作具が蓋体を押し移動させるように作用して、蓋体を容器収納方向へ移動させることとなって、蓋体が開き状態から閉じ状態へと操作され、容器の開口部を蓋体が閉じることとなる。一方、容器を収納装置本体から引き出し移動させると、蓋体開閉操作具が閉じ操作位置から開き操作位置へと移動操作され、この蓋体開閉操作具が蓋体を押し移動させるように作用して、蓋体を容器引き出し方向へ移動させることとなって、蓋体が閉じ状態から開き状態へと操作され、容器の開口部を開けることとなる。
【０００８】
従って、容器を収納装置本体に収納移動させるとき、並びに、容器を収納装置本体から引き出し移動させるときに、容器の収納方向への移動による蓋体の閉じ状態側への移動、並びに、容器の引き出し方向への移動による蓋体の開き状態側への移動が、蓋体開閉操作具にて容器と蓋体とを連動させた形態で行われるから、蓋体の開閉が確実に行われるようになる。そして、容器を収納移動させるための操作力、並びに、容器を引き出し移動させるための操作力が、蓋体の容器収納方向及び引き出し方向に作用するようになるから、蓋体を開き方向へ付勢する付勢手段を不要にできる、あるいは、付勢手段を設けるとしても必要となる不勢力を軽減できるものとなる。もって、容器の収納移動並びに引き出し移動に伴って、蓋体の開閉操作を確実に行えるものでありながら、容器の収納移動並びに引き出し移動を小さい操作力で行えるものとなる。
【０００９】
〔請求項２記載の発明〕
請求項２に記載の発明は、前記開閉操作具が、前記閉じ操作位置と前記開き操作位置とに揺動自在に構成され、前記容器には、開閉操作具操作用の係合孔が、前記開閉操作具の揺動によりその開閉操作具に備えさせたピン状の被操作部が係脱するように設けられ、前記開閉操作具が、前記容器を前記収納装置本体に対して収納移動及び引き出し移動させる全ストロークのうちで、最終収納位置とそれよりも設定量手前側位置との間でのみ、前記被操作部を前記開閉操作具操作用の係合孔に係合するように構成されている点を特徴とする。
【００１０】
すなわち、設定量手前側位置よりさらに手前側に容器を引き出すと、開閉操作具が揺動することによって、開閉操作具に備えさせたピン状の被操作部が係脱することになり、容器を収納装置本体に対して収納移動及び引き出し移動させる全ストロークのうちで、最終収納位置とそれよりも設定量手前側位置との間でのみ、開閉操作具のピン状の被操作部が容器に設けられた開閉操作具操作用の係合孔に係合することになる。
【００１１】
従って、開閉操作具に備えさせたピン状の被操作部が、容器を収納装置本体に対して収納移動及び引き出し移動させる全ストロークに対応して、開閉操作具操作用の係合孔に係合させるように構成する場合と比べて、開閉操作具の大きさを小さくすることが可能となる等、蓋体の開閉操作のための構造をコンパクトな構成によって実現できるようになる。
【００１２】
〔請求項３記載の発明〕
請求項３に記載の発明は、請求項２の収納装置において、前記蓋体開閉操作具を前記開き操作位置に復帰付勢する付勢手段が設けられている点を特徴とする。
【００１３】
すなわち、蓋体開閉操作具が、付勢手段によって、開き操作位置に復帰付勢されることになる。
【００１４】
従って、蓋体開閉操作具が、容器の係合孔から外れても、付勢手段にて開き操作位置に適確に保持できるので、容器の収納移動に伴う、係合孔と開閉操作具の被操作部との係合を確実に行えるものとなって、蓋体の開閉操作を適確に行い易い。
【００１５】
〔請求項４記載の発明〕
請求項４に記載の発明は、前記容器の左右側部の夫々に対応して、前記蓋体開閉操作具が一対設けられている点を特徴とする。
【００１６】
すなわち、容器を収納移動並びに引き出し移動させるときに、容器を押し移動させる操作力を蓋体に伝達させることを、蓋体に対して左右両側から行えることになる。
【００１７】
従って、容器の収納移動及び引き出し移動させるときに、容器を押し移動させる操作力が蓋体に左右から作用することとなり、容器が収納移動並びに引き出し移動するときの蓋体の開閉動作が、コジレ等の動作不良を発生し難い状態で円滑に行われるようになる。
【００１８】
〔請求項５記載の発明〕
請求項５に記載の発明は、前記蓋体支持手段が、カム部材とカムフォロアとを、前記収納装置本体と前記蓋体とに振り分けて設置して構成されている点を特徴とする。
【００１９】
すなわち、容器の水平方向の移動に伴う蓋体の開閉移動が、カム部材とカムフォロアからなるカム作用によって定められた軌跡に沿って、蓋体が上下及び前後方向に移動することになる。
【００２０】
従って、蓋体の開閉方向の移動において、リンク機構によって連動させることもできるが、その場合には、リンク機構が複雑となり、コストアップの原因となる虞もあるのに対し、カム部材とカムフォロアからなるカム機構を採用することにより、簡素な構造で円滑な動作を得ることができる。
【００２１】
〔請求項６記載の発明〕
請求項６に記載の発明は、前記容器が食器洗浄機の洗浄槽で、前記収納装置本体が食器洗浄機の本体ケーシングであり、前記洗浄槽が、前記本体ケーシングに対して水平又は略水平方向に沿って、収納移動並びに引き出し移動されるように構成されている点を特徴とする。
【００２２】
すなわち、本発明の収納装置を構成する収納装置本体、容器及び蓋体に相当するものとして本体ケーシング、洗浄槽及び蓋体を備え、本体ケーシングは前面部が開口され、洗浄槽は本体ケーシングに対して収納移動並びに引き出し移動が可能であるように構成され、蓋体は洗浄槽の上面開口部を開閉できるように構成されている食器洗浄機に、本発明の構成を適用することになる。
ちなみに、このような食器洗浄機は、洗浄槽に食器類を収納するものであり、食器類を収納した洗浄槽は重量が大きくなるため、食器類を収納した洗浄槽を収納移動並びに引き出し移動させるには、大きな操作力が必要となる。そして、この食器洗浄機において、洗浄槽を収納移動させる操作力によって、開き方向への付勢力が作用するような蓋体を閉じ状態へと移動させる構成の場合には、その付勢力が収納操作に反発するように作用するものとなり、洗浄槽を収納移動させるときの操作力として大きな操作力が必要となる。
【００２３】
従って、食器類を収納するための洗浄槽を備えた食器洗浄機において、本発明を適用することによって、洗浄槽の収納移動並びに引き出し移動に伴って、蓋体を確実に開閉操作できながらも、洗浄槽の収納移動及び引き出し移動を小さな操作力で行えるようになる。
【００２４】
【発明の実施の形態】
以下、本発明の収納装置を食器洗浄機に適用した実施の形態について、図面に基づいて説明する。
図１に示すように、食器洗浄機は、前面が開口する箱状の収納装置本体としての本体ケーシング１を備え、且つ、本体ケーシング１の内側の収納空間内に水平又は略水平方向に挿脱自在な上部が開口された容器としての洗浄槽２を備えている。
【００２５】
説明を加えると、図２に示すように、本体ケーシング１の内側には、レールなどで構成された左右一対のスライド機構７が設けられ、その左右一対のスライド機構７を介して、前記洗浄槽２が、本体ケーシング１の収納空間に対して、上述の如く水平又は略水平方向に挿脱自在に、つまり、矢印Ａで示す収納移動方向へのスライド移動と、矢印Ｂで示す引き出し移動方向へのスライド移動とができるように構成されている。
【００２６】
洗浄槽２の前面には、把手８などを備えた本体蓋９が取り付けられていて、その把手８を用いて、洗浄槽２を引き出し移動方向Ｂへスライド移動させることで、図１に示すように、洗浄槽２が本体ケーシング１の前方側に引き出されて、食器類５や洗浄かご６を取り出したり収納したりでき、また、洗浄槽２を収納移動方向Ａへスライド移動させることで、図６に示すように、本体ケーシング１内に洗浄槽２を収納して、食器を洗浄したり乾燥したりできるように構成されている。
【００２７】
図２に示すように、洗浄槽２の上部の開口部を開閉する蓋体１０が、開閉方向に移動自在に本体ケーシング１に保持された状態で設けられている。この蓋体１０は、洗浄槽２が本体ケーシング１に収納移動されると閉じ状態となり、洗浄槽が本体ケーシング１から引き出し移動されると開き状態となるように開閉操作されるように構成されており、閉じ状態においては、食器洗浄時などにおいて洗浄水が洗浄槽２から飛散するのを抑制することになり、開き状態においては、食器類５等を洗浄槽２に対して出し入れできるようにすることになる。
この蓋体１０は、図３、図５、図７に示すように、蓋体支持手段Ｆによって、蓋体１０を洗浄槽引き出し方向に移動されると開き状態側に移動され、蓋体１０を洗浄槽収納方向に移動させると閉じ状態側に移動されるように支持されており、後述するように、洗浄槽２を収納移動させると、洗浄槽収納方向に移動されて閉じ状態になり、洗浄槽２を引き出し移動させると、洗浄槽引き出し方向に移動されて開き状態になるように構成されている。
【００２８】
また、図２に示すように、前記洗浄槽２が収納方向及び引き出し方向に移動される伴って作用する左右一対のトグル機構２７が、前記本体ケーシング１の後方箇所に設けられて、洗浄槽２を収納状態に保持するようになっている。
【００２９】
次に、前記蓋体支持手段Ｆ及び左右のトグル機構２７について説明を加える。
先ず、蓋体支持手段Ｆについて説明すると、蓋体１０の左右の両縁部には、金属製の縁部材１９が取り付けられていて、その縁部材１９には、被案内体であるカムフォロアとして機能するカムピン３７が、左右外側に突出するように２本ずつ設けられている。さらに、縁部材１９の上方には、係止部２０が設けられて、この係止部２０と本体ケーシング１との間に、蓋体１０を前面上方側に付勢するためのコイルスプリングからなる蓋用スプリング３８が介装され、蓋体１０の下面の外周には、弾性材からなるシール部材２１が取り付けられている。
そして、本体ケーシング１の左右内側には、本体ケーシング１を形成する板材を切り出して形成された一対の保持舌片２３が、蓋体１０側のカムピン３７に対応するように４対設けられ、各対の保持舌片２３によって、カムピン３７と協働するクランプ部材２６が、矢印Ｃで示す洗浄槽２の上面開口部に対する蓋体１０の開閉方向に移動自在に保持されている。
【００３０】
前記クランプ部材２６は、合成樹脂や金属製の成形品で構成され、図１０に示すように、その上部には、蓋体１０側のカムピン３７が嵌入するカム部材として機能するカム溝２２が設けられ、カム溝２２の下方には、一対の保持舌片２３の上縁に接当して保持される保持片２４が設けられている。
さらに、クランプ部材２６の下方には、洗浄槽２への接当によって前記開閉方向Ｃへの移動が受け止め阻止されるための接当部２５が設けられていて、カム溝２２、保持片２４、ならびに、接当部２５などが、クランプ部材２６の同一面側に設けられている。
【００３１】
前記カム溝２２は、図３（イ）、図７（イ）に示すように、洗浄槽２が本体ケーシング１内に収納されたときにカムピン３７が位置する最下方位置ａと、洗浄槽２が本体ケーシング１から引き出されたときに位置する最上方位置ｂとにわたって傾斜状に設けられ、且つ、クランプ部材２６の上下方向の中心線Ｌ上に前記最下方位置ａが位置する状態で、互いに連続して左右に一対設けられるとともに、クランプ部材２６そのものも中心線Ｌを中心として左右対称形に構成されている。
そして、このようなクランプ部材２６が、本体ケーシング１の左右内側に設けられた４対の保持舌片２３によって、それぞれカム溝２２などを内側に向けた状態で、換言すると、各クランプ部材２６が、洗浄槽２の収納移動方向Ａならびに引き出し移動方向Ｂに直交する方向視において左右対称形に構成され、その収納移動方向Ａならびに引き出し移動方向Ｂにおいて洗浄槽２の左右両側に位置されて、４対の保持舌片２３によって前記開閉方向Ｃに移動自在に保持されるとともに、各クランプ部材２６のカム溝２２にカムピン３７が嵌入されている。
【００３２】
次に、左右一対のトグル機構２７について説明すると、各トグル機構２７は、その一端部に係合用切欠き２８を有するほぼＬ字状のレバー２９とコイルスプリング３０で構成されている。Ｌ字状のレバー２９の中間部は、枢支ピン３１を介して本体ケーシング１に回動自在に取り付けられ、そのＬ字状のレバー２９の他端部と本体ケーシング１との間にコイルスプリング３０が介装されていて、コイルスプリング３０の付勢力に起因するＬ字状のレバー２９の回動力作用方向が、図５（イ）に示す設定切換位置Ｄを中心として逆方向に切換わるように構成されている。
【００３３】
前記洗浄槽２は、その上面開口部の外周に沿って外方に膨出する開口縁部、つまり、洗浄槽２の左右横側方に膨出する左右一対の横側開口縁部３２、後方に膨出する後側開口縁部３３、ならびに、前方に膨出する前側開口縁部３４とを一体的に備え、左右一対の横側開口縁部３２には、その横側開口縁部３２から下方へ突出する状態で形成された受け止め面３５が、前記クランプ部材２６の接当部２５に対応するように２個ずつ設けられている。
そして、洗浄槽２の後方側の左右横側方には、各トグル機構２７を構成するＬ字状のレバー２９の係合用切欠き２８に嵌入する左右一対の係合用ピン３６が突設されている。
【００３４】
次に、以上の構成からなる蓋体支持手段Ｆ及びトグル機構２７について、洗浄槽２の収納移動及び引き出し移動に伴う動作について説明する。
洗浄槽２を本体ケーシング１の収納空間に収納した状態では、図６、図７（イ）に示すように、洗浄槽２から突出する左右一対の係合用ピン３６が、各トグル機構２７を構成するレバー２９の係合用切欠き２８内に嵌入し、コイルスプリング３０の付勢力に起因するレバー２９の回動力が、洗浄槽２の収納移動方向Ａ側に作用している。
さらに、洗浄槽２の手前側当接部１７が案内ピン１４に接当し、案内ピン１４が蓋体溝１６に係合していることによって、蓋体１０を収納移動方向Ａ側に押圧しているので、蓋体１０から突出する合計４本のカムピン３７が、各クランプ部材２６のカム溝２２内における最下方位置ａに位置して、後に詳しく説明するように、蓋体１０が洗浄槽２の上面開口部を密閉している。
【００３５】
この収納状態から洗浄槽２を引き出し移動方向Ｂ側へ引き出すと、カムピン３７の移動に伴って、Ｌ字状のレバー２９がコイルスプリング３０の付勢力に抗して引き出し移動方向Ｂ側に回動され、同時に、案内ピン１４の移動に伴って、蓋用スプリング３８の付勢力により蓋体１０が引き出し方向Ｂ側に移動されるとともに、４本のカムピン３７が、各カム溝２２内において引き出し方向Ｂ側に移動される。
そして、Ｌ字状のレバー２９が図５（イ）に示す設定切換位置Ｄを越えると、図３（イ）、図４に示すように、コイルスプリング３０の付勢力に起因するＬ字状のレバー２９の回動力が、引き出し移動方向Ｂ側に作用するように切換わり、コイルスプリング３０の付勢力によって、洗浄槽２が引き出し移動方向Ｂ側に押し出され、４本のカムピン３７が、各カム溝２２内における最上方位置ｂにまで移動するとともに、その後、係合用ピン３６が係合用切欠き２８から外れ、蓋体１０による洗浄槽２の上面開口部の閉鎖が解除され、洗浄槽２が本体ケーシング１から引き出される。
【００３６】
この引き出し状態から洗浄槽２を収納移動方向Ａ側へ押し込むと、洗浄槽２から突出する左右一対の係合用ピン３６が、各トグル機構２７を構成するＬ字状のレバー２９の係合用切欠き２８内に嵌入して、引き出し時とは逆に、Ｌ字状のレバー２９をコイルスプリング３０の付勢力に抗して収納移動方向Ａ側に回動させる。
そして、Ｌ字状のレバー２９が設定切換位置Ｄを越えると、Ｌ字状のレバー２９の回動力が、収納移動方向Ａ側に作用するように切換わり、コイルスプリング３０の付勢力によって、洗浄槽２を収納移動方向Ａ側に引き込むと同時に、洗浄槽２の手前側当接部１７が案内ピン１４に接当して収納移動方向Ａ側に押圧移動させ、この移動に伴って蓋体１０が収納移動方向Ａ側に押圧移動されて、各クランプ部材２６のカム溝２２内において、その最上方位置ｂにあった４本のカムピン３７が最下方位置ａの方へ移動される。
【００３７】
このカム溝２２内におけるカムピン３７の移動によって、蓋体１０が下方へ、つまり、洗浄槽２の開口部に対する開閉方向Ｃ側へ移動され、同時に、各クランプ部材２６が上方へ、つまり、前記開閉方向Ｃ側へ移動される。
そして、最終的に、各カムピン３７が各カム溝２２内の最下方位置ａにまで移動されて、各クランプ部材２６の接当部２５が、洗浄槽２の横側開口縁部３２から突出された受け止め面３５に接当し、クランク部材２６の前記開閉方向Ｃへの移動が阻止されるとともに、カム溝２２とカムピン３７との協働作用で蓋体１０が洗浄槽２側へ押し付けられ、図６に示すように、蓋体１０に設けられたシール部材２１が、洗浄槽２の開口縁部３２、３３、３４の上面に密着して、洗浄槽２の上面開口部が確実に密閉されるのである。
【００３８】
次に、洗浄槽２の引き出し移動及び収納移動により、蓋体１０を洗浄槽引き出し方向及び洗浄槽収納方向に移動させて、蓋体１０を開閉操作する構成について説明する。
【００３９】
本体ケーシング１の内側後方の左右の側面上方部には、図９に示すように、蓋体開閉操作具としての案内レバー１１が左右一対に配置されており、この案内レバーは、本体ケーシングへの取付固定部１２、揺動支承軸３９、プッシュレバー１３及び案内ピン１４によって構成されている。プッシュレバー１３の一端側は、取付固定部１２の揺動支承軸３９を軸心として、洗浄槽２の収納及び引き出し方向に回転揺動自在に取付けられており、他端側には上下方向に沿って案内ピン１４がプッシュレバー１３を挟んで同一軸心に沿って上下方向に延びるように円筒状に形成されている。
【００４０】
洗浄槽２には、図９に示すように、洗浄槽２後方の上部に開閉操作具用の係合孔としての洗浄槽溝１５が案内レバー１４に対応して左右一対設けられている。この洗浄槽溝１５は、案内ピン１４と嵌合可能な幅を有し、図３（ロ）に示すように、手前側当接部１７は洗浄槽２側面まで延びるように、奥側当接部１８は途中で後方側に後退するように形成され、プッシュレバー１３の揺動によってプッシュレバー１３より下側部の案内ピン１４と係脱するように構成されている。
【００４１】
蓋体１０には、後方部の左右両側に、洗浄槽２の引き出し方向とは直角方向に、案内ピン１４と嵌合可能な幅と設定長さを有した長穴状の蓋体溝１６が形成されており、図８に示すように、プッシュレバー１３上側部の案内ピン１４と係合するように構成されている。そして、案内ピン１４が開き操作位置にあるときに蓋体１０は開き状態側の移動到達点に達し、案内ピン１４が閉じ操作位置にあるときに蓋体１０は洗浄槽２の開口部を密閉する閉じ状態となるように構成されている。
【００４２】
次に、洗浄槽２の収納移動及び引き出し移動に伴う、案内レバー１１、洗浄槽２、蓋体１０の動作について説明する。
洗浄槽２を引き出された状態から収納方向へ移動させるときは、
洗浄槽２が引き出された状態では、図３（ロ）に示すように、案内ピン１４と洗浄槽溝１５は係合することなく、案内ピン１４は開き操作位置となる前方側に保持されている。洗浄槽２を収納方向へ移動させていき、洗浄槽２が引き出された位置から最終収納位置より設定量手前側の位置の範囲では、依然案内ピン１４と洗浄槽溝１５は係合することなく、案内ピン１４は開き操作位置に保持されている。そして、洗浄槽２が最終収納位置より設定量手前側の位置に到達すると、図５（ロ）に示すように、洗浄槽溝１５の手前側当接部１７と案内ピン１４が当接し、洗浄槽をさらに収納方向へ移動させると、案内ピン１４がプッシュレバー１３の回動を伴いながら収納方向へ押し移動される。そして、洗浄槽２を最終収納位置まで移動させると、図７（ロ）に示すように、案内ピン１４が閉じ操作位置となる揺動範囲の最後方側に到達する。
この洗浄槽２の移動による案内ピン１４の揺動は、案内ピン１４が蓋体溝１６に係合していることから、案内ピン１４の動作が蓋体溝１６に作用して、後述するような蓋体１０の動作を導くものとなる。
【００４３】
蓋体１０は、洗浄槽２が引き出された位置から最終収納位置より設定量手前側の位置までにあるときは、案内ピン１４は開き操作位置に保持され、図５（ロ）の一点鎖線にて示すように、蓋体１０は洗浄槽引き出し方向の移動到達位置で姿勢が維持されて、開き状態を保持した状態にある。そして、洗浄槽２が最終収納位置より設定量手前側の位置から最終収納位置まで移動されると、前述したように、案内ピン１４が開き操作位置から閉じ操作位置に向けて移動されることによって、蓋体１０が洗浄槽収納方向に移動され、図７（ロ）の一点鎖線にて示すように、案内ピン１４が閉じ操作位置となる揺動範囲の最後方側に到達すると、蓋体１０は洗浄槽２の開口部を閉じる閉じ状態となる。
【００４４】
一方、洗浄槽２を最終収納位置から引き出し方向へ移動させるときは、
洗浄槽２を最終収納位置から最終収納位置より設定量手前側の位置まで引き出し方向に移動させる範囲では、案内ピン１４が洗浄槽溝１５の奥側当接部１８と当接することによって、プッシュレバー１３が閉じ操作位置から開き操作位置に向けて押し移動される。そして、洗浄槽２が最終収納位置より設定量手前側の位置を通過してさらに引き出されると、奥側当接部１８が途中で後方側に後退するように形成されていることによって、案内ピン１４は洗浄槽溝１５から係脱され、蓋体１０に備えられた付勢手段の作用によって、開き操作位置となる揺動範囲の最前方側まで移動することになり、蓋体１０は開き状態となる。
【００４５】
このように、洗浄槽２を収納移動及び引き出し移動するときに、案内レバー１１の作用によって、洗浄槽２に作用する操作力が蓋体１０に伝達されるとともに、洗浄槽２の動作と蓋体１０の動作が連動して、蓋体１０は開閉操作が行われることになる。
【００４６】
〔別実施形態〕
（１）先の実施形態の食器洗浄機では、蓋体支持手段として、カム部材とカムフォロアとを収納装置本体と蓋体とに振り分けて設置し、蓋体をその開閉方向に案内移動させるように構成した例を示したが、これに限定されるものではない。
例えば、リンク機構によって蓋体をその開閉方向に案内移動させるように構成したものでもよい。
【００４７】
（２）先の実施形態の食器洗浄機では、本体ケーシングにトグル機構を設けた例を示したが、このトグル機構については必ずしも必要なものではなく、トグル機構をなくして実施することもできる。
【００４８】
（３）先の実施形態の食器洗浄機では、本発明による収納装置を食器洗浄機に適用した例を示したが、食器洗浄機に限定されるものではなく、例えば、薬品の収納装置や冷凍食品の収納装置などのような各種の収納装置にも適用することができる。また、収納装置としては、容器の収納方向並びに引き出し方向が水平方向に限定されるものではなく、容器の収納方向並びに引き出し方向が縦方向あるいは斜め方向に傾斜されたものでもよい。
【図面の簡単な説明】
【図１】食器洗浄機の全体斜視図
【図２】洗浄槽が引き出された状態のときの、食器洗浄機の要部の縦断側面図
【図３】洗浄槽が引き出された状態のときの、洗浄槽と案内レバーの横断面図、及び、蓋体支持手段とトグル機構の側面図
【図４】洗浄槽が最終収納位置より設定量手前側位置にある状態のときの、食器洗浄機の要部の縦断側面図
【図５】洗浄槽が最終収納位置より設定量手前側位置にある状態のときの、洗浄槽と案内レバーの横断面図、及び、蓋体支持手段とトグル機構の側面図
【図６】洗浄槽が最終収納位置にある状態のときの、食器洗浄機の要部の縦断側面図
【図７】洗浄槽が最終収納位置にある状態のときの、洗浄槽と案内レバーの横断面図、及び、蓋体支持手段とトグル機構の側面図
【図８】蓋体と案内レバーを示す横断面図
【図９】洗浄槽と案内レバーを示す横断面図
【図１０】クランプ部材の斜視図
【符号の説明】
１              収納装置本体
２              容器
１０            蓋体
１１            蓋体開閉操作具
１４            ピン状の被操作部
１５            開閉操作具用の係合孔
２２            カム部材
３７            カムフォロア
３８            付勢手段
Ｆ              蓋体支持手段
【図１】
0004615777.tif 000002
【図２】
0004615777.tif 000003
【図３】
0004615777.tif 000004
【図４】
0004615777.tif 000005
【図５】
0004615777.tif 000006
【図６】
0004615777.tif 000007
【図７】
0004615777.tif 000008
【図８】
0004615777.tif 000009
【図９】
0004615777.tif 000010
【図１０】
0004615777.tif 000011